(57)【特許請求の範囲】
【請求項１】
シランカップリング剤及び／又はチタンカップリング剤を含有するエチレンジアミン塩酸塩溶液を活性炭と接触させ、シランカップリング剤及び／又はチタンカップリング剤を吸着除去することにより、エチレンジアミン含有処理液を得ることを特徴とするエチレンジアミン含有廃液の処理方法。
【請求項２】
請求項１の処理方法で得られたエチレンジアミン含有処理液を蒸留してエチレンジアミンよりも低沸点の不純物を留出除去し、次いでアルカリ金属の水酸化物を該処理液が含有する塩酸分に対して当量以上加え析出する塩酸塩を分離・除去し、さらに該溶液を蒸留してエチレンジアミン又はエチレンジアミン水溶液を得ることを特徴とするエチレンジアミン含有廃液の処理方法。
【請求項３】
請求項２の方法において、析出する塩酸塩を分離・除去することなくそのまま蒸留して、エチレンジアミン又はエチレンジアミン水溶液を得ることを特徴とするエチレンジアミン含有廃液の処理方法。
【請求項４】
請求項１の処理方法で得られたエチレンジアミン含有処理液に、アルカリ金属の水酸化物を該処理液が含有する塩酸分に対して当量以上加え析出する塩酸塩を分離・除去し、次いで該溶液を蒸留してエチレンジアミンよりも低沸点の不純物とエチレンジアミン、又は該不純物とエチレンジアミン水溶液に分留することを特徴とするエチレンジアミン含有廃液の処理方法。
【請求項５】
請求項４の方法において、析出する塩酸塩を分離・除去することなくそのまま蒸留して、エチレンジアミンよりも低沸点の不純物とエチレンジアミン、又は該不純物とエチレンジアミン水溶液に分留することを特徴とするエチレンジアミン含有廃液の処理方法。
【発明の詳細な説明】
【０００１】
【産業上の利用分野】
本発明は、シランカップリング剤及び／又はチタンカップリング剤を含有するエチレンジアミン塩酸塩溶液、即ちエチレンジアミン含有廃液を簡単な操作で且つ経済的に処理して、有用なエチレンジアミンの溶液とする方法に関する。エチレンジアミン含有廃液の具体例としては、エチレンジアミンを用いてシランカップリング剤又は、チタンカップリング剤を製造する際に副生する廃液が挙げられる。
【０００２】
【従来の技術】
シランカップリング剤はクロロアルキルアルコキシシランとエチレンジアミンとの反応により、またチタンカップリング剤はクロロアルキルアルコキシチタンとエチレンジアミンとの反応によって、一般に製造される。このとき副生した塩酸が過剰のエチレンジアミンと反応してその塩酸塩を形成する。
【０００３】
該反応は遊離のエチレンジアミン量が減少するとその速度は低下するので、通常遊離のエチレンジアミンが残存する十分量のエチレンジアミンを用いて反応を行う。そして生成したシランカップリング剤又はチタンカップリング剤を相分離等の手段により分離する。したがってエチレンジアミンを用いてシランカップリング剤又はチタンカップリング剤を製造する際には、これらのカップリング剤が飽和量以上溶存したエチレンジアミンの塩酸塩溶液が副生する。
【０００４】
従来、該エチレンジアミン塩酸塩溶液、即ちエチレンジアミン含有廃液を処理する方法はなく、廃棄物として焼却処分されるのが定法であった。
【０００５】
【発明が解決しようとする課題】
しかしながら、従来の方法は有用なエチレンジアミンを無価値な物として扱うばかりでなく、焼却時のＮＯＸや塩酸ガスの発生また焼却費用の面で種々なる問題を有していた。
【０００６】
本発明は上記の課題に鑑みてなされたものであり、その目的は、このエチレンジアミン含有廃液から有用なエチレンジアミンを回収でき、資源の有効活用、環境対策につながるエチレンジアミン含有廃液の処理方法を提供することである。
【０００７】
【課題を解決するための手段】
本発明者らは従来の方法の課題を解決すべくエチレンジアミン含有廃液の処理方法について鋭意研究を重ねた結果、エチレンジアミン含有廃液を活性炭と接触させることでほぼ完全にシランカップリング剤及び／又はチタンカップリング剤を除去することができ、利用可能なエチレンジアミン溶液にできることを見出だし、本発明を完成するに至った。
【０００８】
即ち本発明はシランカップリング剤及び／又はチタンカップリング剤を含有するエチレンジアミン塩酸塩溶液を活性炭と接触させ、シランカップリング剤及び／又はチタンカップリング剤を吸着除去し、エチレンジアミン溶液を得ることを特徴とするエチレンジアミン含有廃液の処理方法である。
【０００９】
以下、本発明をさらに詳細に説明する。
【００１０】
本発明においていうシランカップリング剤又はチタンカップリング剤は、通常、前者はクロロアルキルアルコキシシランとエチレンジアミン、後者はクロロアルキルアルコキシチタンとエチレンジアミンとの反応によって製造され、特に限定するものではない。
【００１１】
具体例としては、Ｎ−（２−アミノエチル）アミノメチルトリメトキシシラン、Ｎ−（２−アミノエチル）アミノメチルベンジルオキシジメチルシラン、Ｎ−（２−アミノエチル）−３−アミノプロピルトリメトキシシラン、Ｎ−（２−アミノエチル）−３−アミノプロピルメチルジメトキシシラン、Ｎ−２−（アミノエチル）−３−アミノプロピルトリス（２−エチルヘキソキシ）シラン、（Ｎ−（２−アミノエチル）アミノメチル）フェネチルトリメトキシシラン、イソプロピルトリ（Ｎ−アミノエチル−アミノエチル）チタネート等が挙げられる。
【００１２】
これらのシランカップリング剤又はチタンカップリング剤の製造時には塩酸が副生し過剰のエチレンジアミンと反応してその塩酸塩を形成する。また該反応は遊離のエチレンジアミン量が減少するとその速度は低下するので、遊離のエチレンジアミンが残存する十分量のエチレンジアミンを用いて反応が行われる。そして生成したシランカップリング剤又はチタンカップリング剤を相分離等の手段により分離する。したがって、エチレンジアミンを用いてシランカップリング剤又は、チタンカップリング剤を製造する際には、これらのカップリング剤が溶存したエチレンジアミンの塩酸塩溶液即ち、エチレンジアミン含有廃液が副生する。
【００１３】
このエチレンジアミン含有廃液の組成は、特に限定するものではないが、通常カップリング剤１〜５ｗｔ％、エチレンジアミン塩酸塩３５〜８０ｗｔ％（塩酸分１３〜３０ｗｔ％）、遊離エチレンジアミン１５〜６０ｗｔ％であり、その他微量の水分、アルコ−ル等を含む。また含有されるカップリング剤は、シランカップリング剤及びチタンカップリング剤のいずれか一方、又はこれらの混合物のいずれでも良い。
【００１４】
カップリング剤含量が過剰な場合、カップリング剤相とカップリング剤が飽和量溶解したエチレンジアミン塩酸塩溶液相の２液相となるが差支えない。しかしながら、操作性を考慮すると１液相で処理するのが好ましい。エチレンジアミン塩酸塩溶液に含有されるカップリング剤濃度は組成、温度等により異なり、エチレンジアミン塩酸塩濃度が高い程、水分濃度が高い程、温度が低い程、その濃度は低下する。カップリング剤濃度が低い程、活性炭との接触時において該活性炭量を減じることができ好ましく、エチレンジアミン含有廃液に塩酸を添加し遊離のエチレンジアミンを中和してエチレンジアミン塩酸塩にしても良く、また水を添加しても良い。
【００１５】
水はエチレンジアミン含有廃液の減粘効果があり、添加しても良いが水分濃度が高いとカップリング剤の加水分解が起こり易くなり、副生成物量が増し、且つ処理液量が増すのでその添加量は有効な減粘効果が発揮できる５０ｗｔ％以下が好ましい。アルコールは、該カップリング剤合成時の副生に由来するが、エチレンジアミン含有廃液の粘度を減じ、操作性を向上させる目的で別に添加しても良い。しかしながら、過剰に加えると処理液量が増すのでその添加量は有効な減粘効果が発揮できる５０ｗｔ％以下が好ましい。アルコールとしては、メチルアルコール、エチルアルコール、プロピルアルコールの低級アルコールが減粘効果が大であり、またエチレンジアミンとの蒸留分離が容易であり好ましい。
【００１６】
活性炭としては、市販のヤシ殻炭、石炭系いずれも好適に用いることできるが、本件においては効果的利用面より特に石炭系が好ましい。また形状としては粉状品、粒状品、造粒等の成型品いずれも使用できる。懸濁状態で接触させる場合、粉状品、粒状品が好ましく、固定床で使用する場合強度の大きい成型品が好ましい。
【００１７】
接触方法としては、回分式、固定床流通式等いずれの方式でも良い。活性炭の利用率を高め、操作性を向上させ、大量処理を行う場合は、後者が好ましい。回分式では、活性炭利用率がやや低下するものの小規模処理には適する。
【００１８】
接触温度は、特に限定するものではないが、好ましくは１０〜１００℃である。１０℃以下の場合、冷却設備が必要で又、エチレンジアミン含有廃液の粘度が数百ｍＰａ・ｓ以上に上昇し、接触時間を長くする必要が生じる。１００℃以上の場合、粘度は低くでき吸着速度も高まり、より短時間で処理できるものの、加熱の為のエネルギーが必要となる。１０〜１００℃では、カップリング剤の吸着速度は大きく、操作はより容易でありエネルギー消費も少なく好適な接触操作ができる。更に好ましい温度は、２０〜７０℃であり上述した効果がより大きくなる。
【００１９】
エチレンジアミン含有廃液と活性炭の接触時間は、温度、エチレンジアミン含有廃液組成、接触形式により変える必要があるが、通常０．５〜１００時間で吸着平衡となる。固定床流通式で操作する場合、空塔速度（ＳＶ）：０．０１〜２／Ｈｒ、液線速度（ＬＶ）：０．０１〜２０ｍ／Ｈｒで好適に行うことができ、これらの値が小さいとカップリング剤除去率は高くできるが、より多くの時間を要し、逆に大きいと時間は短くて良いがカップリング剤除去率が低下する。カップリング剤の吸着時、大きな発熱、固形物の生成等特に変化はなく操作性は良い。又、固定床流通式で行う場合、活性炭層への空気等のガスの混入はできる限り抑制することが、活性炭の利用率を高めること、カップリング剤除去率を高めることから好ましい。そのための前処理操作として、エチレンジアミン含有廃液の加熱、減圧、超音波処理等の脱気操作が好適である。また液流れ方向は上向、下向いずれも適用できる。
【００２０】
以上の操作により、エチレンジアミン含有廃液中のカップリング剤を効果的且つ効率的に除くことができる。エチレンジアミン含有処理液（エチレンジアミン含有廃液中より、シランカップリング剤又は、チタンカップリング剤を活性炭で吸着除去した後の液を表し、以下エチレンジアミン含有処理液と称す）中のカップリング剤含量は、１００ｐｐｍ以下、１０ｐｐｍ以下にもでき、エチレンジアミン含有処理液の有効活用が図れる。又、活性炭へのカップリング剤吸着量は、０．１ｋｇ／ｋｇ・活性炭以上、０．５ｋｇ／ｋｇ・活性炭以上にもでき効率良く活性炭が利用できる。カップリング剤を吸着した活性炭は焼却処分しても良いし、トルエン等の有機溶剤により脱着回収しても良い。
【００２１】
活性炭処理後のエチレンジアミン含有処理液は、残存するエチレンジアミンの機能を生かして、アルカリ剤、反応薬剤として有効活用しても良いが、以下の方法でエチレンジアミンを単離しても良い。その場合、利用範囲はより広くなり、エチレンジアミンの機能もより発現できるので好ましい方法である。即ち、
（１）エチレンジアミン含有処理液を蒸留して、アルコール等のエチレンジアミンよりも低沸点の不純物を留出除去し、次いで水酸化ナトリウム等のアルカリ金属の水酸化物を、該処理液が含有する塩酸分に対して当量以上加え、エチレンジアミン塩酸塩を中和し、析出する塩化ナトリウム等の塩酸塩を分離・除去し、該溶液を蒸留してエチレンジアミン又はエチレンジアミン水溶液を得る方法。
【００２２】
（２）（１）の方法で析出する塩化ナトリウム等の塩酸塩を分離・除去することなくそのまま蒸留して、エチレンジアミン又はエチレンジアミン水溶液を得る方法。
【００２３】
（３）エチレンジアミン含有処理液に、水酸化ナトリウム等のアルカリ金属の水酸化物を、該処理液が含有する塩酸分に対して当量以上加え、エチレンジアミン塩酸塩を中和し、析出する塩化ナトリウム等の塩酸塩を分離・除去し、該溶液を蒸留して、アルコール等のエチレンジアミンよりも低沸点の不純物とエチレンジアミン、又は該不純物とエチレンジアミン水溶液に分留する方法。
【００２４】
（４）（３）の方法で析出する塩化ナトリウム等の塩酸塩を分離・除去することなくそのまま蒸留して、アルコール等のエチレンジアミンよりも低沸点の不純物とエチレンジアミン、又は該不純物とエチレンジアミン水溶液に分留する方法。
【００２５】
（５）エチレンジアミン含有処理液に、該処理液が含有する塩酸分に対して水酸化ナトリウム等のアルカリ金属の水酸化物を過剰に加え、エチレンジアミン相と水酸化ナトリウム等のアルカリ金属の水酸化物の水溶液相の二液相を形成させ、相分離した後、濃縮されたエチレンジアミン相を蒸留してエチレンジアミン又は、エチレンジアミン水溶液を得る方法である。
【００２６】
上記の方法において、エチレンジアミン含有処理液を蒸留してアルコール等のエチレンジアミンよりも低沸点の不純物を留出除去した後、アルカリ金属の水酸化物を加えても良い。またアルカリ金属の水酸化物を加え、析出した塩化ナトリウム等の塩酸塩を分離・除去した後、該溶液を蒸留しても良い。
【００２７】
アルカリ金属しては、特に限定するものではないが、工業的な利用では経済性及び安定供給面からナトリウム、カリウムの水酸化物が好ましい。いずれの方法も水酸化ナトリウム等のアルカリ金属の水酸化物を加え、塩酸塩を中和し、次いで蒸留してエチレンジアミンを得ることを骨子としており、高純度のエチレンジアミンが得られ有効且つ、有用に再使用することができる。
【００２８】
【実施例】
以下、実施例及び、比較例により本発明の効果を具体的に説明するが、本発明はこれらの実施例のみに限定されるものではない。又、シランカップリング剤含量及び、チタンカップリング剤含量はそれぞれＳｉ、Ｔｉ基準としてＩＣＰ分析法により求めた。
【００２９】
実施例１
エチレンジアミン含有廃液（組成：エチレンジアミン６９．０ｗｔ％、塩酸２５．７ｗｔ％、メタノール２．５ｗｔ％、Ｎ−（２ーアミノエチル）−３−アミノプロピルトリメトキシシラン（Ｓｉ基準：３５００ｍｇ／ｋｇ））１００ｇを２５０ｍｌポリプロピレン製三角フラスコに採り、次に市販の活性炭（石炭系粒状炭、商品名：ダイアホープ００８）１５ｇを加え４０℃の振とう機付恒温槽中で１６時間接触処理した。その後活性炭をメンブランフィルターにより分離除去し、瀘液中のシランカップリング剤濃度（Ｓｉ基準）をＩＣＰ分析法により求めたところ、８７ｍｇ／ｋｇであった。
【００３０】
実施例２〜実施例１０
エチレンジアミン含有廃液中のカップリング剤の種類と濃度及び、活性炭の種類と添加量を表１に記載した通りに変えた以外実施例１と同様に操作した。結果を表１に示す。いずれも、少量の活性炭で効率良くカップリング剤を除去できた。またエチレンジアミン含有廃液の希釈剤として水、メチルアルコールを用いた場合（実施例７及び実施例８）、液粘度は低下し操作性良く、またカップリング剤の吸着除去率も高い値を得た。尚、表１に示すエチレンジアミン含有廃液の、カップリング剤を除くその他の組成は、エチレンジアミン７１．０ｗｔ％、塩酸２６．４ｗｔ％、メタノール２．６ｗｔ％と微量の水である。
【００３１】
【表１】
0003646328.tif 000002
【００３２】
実施例１１
内径２６ｍｍのジャッケト付ガラスカラムに、市販の活性炭（石炭系粒状炭、商品名：ダイアホープ００８）５００ｍｌを充填し（充填層高：１０００ｍｍ）、ジャッケト内を５５℃の温水で加温した。この活性炭充填カラムにエチレンジアミン含有廃液（組成：実施例１に同じ）を１００ｍｌ／Ｈｒの供給速度で通液した。一定時間毎に流出液をサンプリングし、ＩＣＰ分析法にて流出液中のＳｉ濃度を測定した。破過点までの流出液量は１４００ｍｌであり、この時の流出液中のＳｉ濃度は１０ｍｇ／ｋｇ以下であり効率良くシランカップリング剤を除去できた。
【００３３】
次に活性炭処理後の液１０００ｇ（組成：エチレンジアミン７１．０ｗｔ％、塩酸２６．４ｗｔ％、メタノール２．６ｗｔ％）を窒素吹込み管及び、温度挿入管を備えた２０００ｍｌ丸形フラスコに仕込み、オールダーショウ蒸留塔（実段数２０段、内径３０ｍｍ×長さ１０００ｍｍ）を用いて低沸点のアルコール（メタノール）２６ｇを含むエチレンジアミン混合物７１ｇを蒸留除去した。その時の丸形フラスコ残存物９２１ｇを分析したところ、エチレンジアミンに対するメタノール濃度は０．０１％以下であった。次いでこの液８００ｇを冷却管、滴下ロ−ト及び、攪拌機を備えた２０００ｍｌセパラブルフラスコに仕込み５０℃に維持して、滴下ロ−トにより４８％水酸化ナトリウム水溶液５２９ｇを加えエチレンジアミン塩酸塩を中和し、塩化ナトリウムを析出させた。そして、このスラリーを遠心瀘過機により固液分離し、瀘液１０１２ｇと湿結晶２９８ｇを得た。瀘液の分析を行ったところエチレンジアミンは５５０ｇ、メタノールは０．０１％以下であり、その他の有機物は認められなかった。
【００３４】
実施例１２
内径２６ｍｍのジャッケト付ガラスカラムに、市販の活性炭（石炭系粒状炭、商品名：クラレコールＧＷＨ−Ｃ）５００ｍｌを充填し（充填層高：１０００ｍｍ）、ジャッケト内を５５℃の温水で加温した。この活性炭充填カラムにエチレンジアミン含有廃液（組成：実施例１に同じ）を５０ｍｌ／Ｈｒの供給速度で通液した。一定時間毎に流出液をサンプリングし、ＩＣＰ分析法にて流出液中のＳｉ濃度測定した。破過点までの流出液量は１７００ｍｌであり、この時の流出液中のＳｉ濃度は１０ｍｇ／ｋｇ以下であり、効率良くシランカップリング剤を除去できた。
【００３５】
次に活性炭処理後の液１０００ｇ（組成：エチレンジアミン７１．０ｗｔ％、塩酸２６．４ｗｔ％、メタノール２．６ｗｔ％）を冷却管、滴下ロート及び、攪拌機を備えた２０００ｍｌセパラブルフラスコに仕込み５０℃に維持し、滴下ロートにより４８％水酸化ナトリウム水溶液６０９ｇを加え、エチレンジアミン塩酸塩を中和し、塩化ナトリウムを析出させた。次いで、このスラリー１５００ｇを攪拌機、窒素吹込み管及び温度挿入管を備えた２０００ｍｌ丸形フラスコに仕込み、オールダーショウ蒸留塔（実段数２０段、内径３０ｍｍ×長さ１０００ｍｍ）を用いて低沸点のアルコール（メタノール）２３ｇを含む水及びエチレンジアミン１６８ｇを蒸留除去した後、引き続き蒸留し、エチレンジアミン水溶液５０１ｇを回収した。フラスコ内の蒸留残存物は８２２ｇであった。ガスクロマトグラフィーにてエチレンジアミン水溶液を分析したところ、エチレンジアミンは３２５ｇ、エチレンジアミンに対し不純物であるその他の有機物濃度は０．０１％以下であり、高純度のエチレンジアミンを再生回収することができた。
【００３６】
実施例１３
内径２６ｍｍのジャッケト付ガラスカラムに、市販の活性炭（ヤシ殻系粒状炭、商品名：クラレコールＧＷ）５００ｍｌを充填（充填層高：１０００ｍｍ）し、ジャッケト内を３０℃の温水で加温した。この活性炭充填カラムにエチレンジアミン含有廃液（Ｓｉ濃度：１５００ｍｇ／ｋｇ、カップリング剤種：実施例１に同じ）を７５ｍｌ／Ｈｒの供給速度で通液した。一定時間毎に流出液をサンプリングし、ＩＣＰ分析法にて流出液中のＳｉ濃度を測定した。破過点までの流出液量は１２００ｍｌであり、この時の流出液中のＳｉ濃度は１０ｍｇ／ｋｇ以下であった。
【００３７】
次に活性炭処理後の液１０００ｇ（組成：エチレンジアミン７１．０ｗｔ％、塩酸２６．４ｗｔ％、メタノール２．６ｗｔ％）を冷却管、滴下ロ−ト及び、攪拌機を備えた３０００ｍｌセパラブルフラスコに仕込み５０℃に維持し、滴下ロ−トにより４８％水酸化ナトリウム水溶液１５００ｇを加え、エチレンジアミン塩酸塩を中和すると共に、過剰の水酸化ナトリウムで二相形成させた。上相のエチレンジアミン相１１２６ｇを分離回収し、ガスクロマトグラフィーにて分析を行ったところエチレンジアミンは６８３ｇ、メタノールは２５ｇであった。次いでこのエチレンジアミン相１０００ｇを窒素吹込み管及び、温度挿入管を備えた２０００ｍｌ丸形フラスコに仕込み、オールダーショウ蒸留塔（実段数２０段、内径３０ｍｍ×長さ１０００ｍｍ）を用いて低沸点のアルコール（メタノール）２２ｇを含む水及び、エチレンジアミン７１ｇを蒸留除去した後、引続き蒸留し、エチレンジアミン水溶液７６９ｇを回収した。フラスコ内の蒸留残存物は１５２ｇであった。ガスクロマトグラフィーにてエチレンジアミン水溶液を分析したところ、エチレンジアミンに対し不純物であるその他の有機物濃度は０．０１％以下であり高純度のエチレンジアミンを再生回収することができた。
【００３８】
比較例１
活性炭との接触処理をしていないエチレンジアミン含有廃液１０００ｇ（組成：実施例１に同じ）を冷却管、滴下ロ−ト及び、攪拌機を備えた２０００ｍｌセパラブルフラスコに仕込み５０℃に維持し、滴下ロ−トにより４８％水酸化ナトリウム水溶液５９３ｇを加え、エチレンジアミン塩酸塩を中和し、塩化ナトリウムを析出させた。そして、このスラリーを遠心瀘過機により固液分離し、瀘液１２３４ｇと湿結晶３３７ｇを得た。瀘液の分析を行ったところエチレンジアミンは６６８ｇ、メタノールは２２ｇ、水は４２０ｇ、塩化ナトリウムは９５ｇ、水酸化ナトリウムは３ｇ、シランカップリング剤は２７ｇであり、その他の有機物は認められなっかった。次いでこの瀘液１０００ｇを窒素吹込み管（キャピラリー）及び、温度挿入管を備えた２０００ｍｌ丸形フラスコに仕込み、オールダーショウ蒸留塔（実段数２０段、内径３０ｍｍ×長さ１０００ｍｍ）を用いて、８０ｋＰａの減圧下、還流比：Ｒ／Ｄ＝１０／１、フラスコ内液温度：１１５〜１１８℃の条件での蒸留操作による低沸点物の分離除去及び、エチレンジアミンの分離回収を行った。
【００３９】
先ず、第１留分として低沸点のメタノール１７．１ｇ及びエチレンジアミン２９．１ｇを含むエチレンジアミン水溶液１０２．７ｇを蒸留除去した後、引続き蒸留し、第２留分としてエチレンジアミン３２．５ｇを含むエチレンジアミン水溶液７０．５ｇを回収した。この第２留分についてガスクロマトグラフィー分析（キャピラリーカラムＤＢ−５：内径０．２３ｍｍ×長さ３０ｍ、検出器：水素炎）したところ溶液中の有機物組成はエチレンジアミン９６．４％、メタノール３．３％、その他の不純物０．３％であった。
【００４０】
更に引続き蒸留し、第３留分としてエチレンジアミン１１６．５ｇを含むエチレンジアミン水溶液２０４．１ｇを、第４留分としてエチレンジアミン１２７．２ｇを含むエチレンジアミン水溶液２０５．７ｇと蒸留仕込み瀘液の約５８ｗｔ％を留出分として回収した。この第３、第４留分も、第２留分同様にガスクロマトグラフィー分析したところ溶液中の有機物組成はそれぞれエチレンジアミン９９．１％、９９．３％、メタノール０．６％、０．５％、その他の不純物０．２％であった。またフラスコ内に薄い黄褐色スラリー状蒸留残存物４０９ｇを得た。
【００４１】
以上の様に活性炭処理を行わないで、水酸化ナトリウムにより中和し、生成した塩化ナトリウム結晶の分離後蒸留する方法では、メタノール及び、その他の有機不純物は蒸留精製の全過程で留出し、有効利用可能なエチレンジアミンは得られなかった。これらの不純物は、熱及び／又はアルカリによるシランカップリング剤の分解生成物と考えられる。
【００４２】
【発明の効果】
本発明により、エチレンジアミン含有廃液を効果的且つ、効率的に処理することができ、有用なエチレンジアミンを回収でき資源の有効利用、環境対策が図れる。以下、その効果を列記する。
【００４３】
（１）シランカップリング剤及び／又はチタンカップリング剤を含むエチレンジアミン含有廃液を簡単な装置及び操作で処理することにより、カップリング剤を実質的に含まない産業上有用なエチレンジアミン処理液を得ることができる。
【００４４】
（２）活性炭のカップリング剤吸着容量は大きく、経済的処理が実現できる。
【００４５】
（３）エチレンジアミン含有処理液を後処理として、アルカリ金属の水酸化物を加え、塩酸塩を中和し、次いで蒸留することにより、高純度で高濃度のエチレンジアミン又は／及びエチレンジアミン水溶液が得られ、その利用範囲は拡大し、産業上有効且つ、有用に活用できる。
【００４６】
（４）本発明の方法は、工業的方法として容易に実施できる。
【００４７】